(57)【要約】  本発明の実施例は、デバイスツーデバイス通信方法、端末デバイス及びネットワークデバイスを提供する。当該方法は、第１端末はネットワークデバイスに第１メッセージを送信することと、前記第１端末は、ネットワークデバイスにより送信された第２メッセージを受信することと、前記第２端末の属性情報に基づいて、前記第１端末が前記第２端末とデータ伝送を行うこととを含み、前記第１メッセージは、第２端末の属性情報の取得を要求するために用いられ、前記第２メッセージは、前記第２端末の属性情報を示すために用いられる。本願の実施例は、Ｄ２Ｄ通信のデータ伝送の成功率を向上させることができる。
2019512900.tif 000002
【特許請求の範囲】
【請求項１】
デバイスツーデバイスＤ２Ｄ通信方法であって、
第１端末はネットワークデバイスに第１メッセージを送信することと、
前記第１端末は、ネットワークデバイスにより送信された第２メッセージを受信することと、
第２端末の属性情報に基づいて、前記第１端末は、前記第２端末とデータ伝送を行うこととを含み、
前記第１メッセージは、前記第２端末の属性情報の取得を要求するために用いられ、
前記第２メッセージは、前記第２端末の属性情報を示すために用いられる、前記デバイスツーデバイスＤ２Ｄ通信方法。
【請求項２】
前記第２端末の属性情報は第１能力情報であり、前記第１能力情報は、前記第２端末が前記第１端末と通信を行う能力情報であり、
前記第１端末が前記第２端末とデータ伝送を行うことは、
前記第１能力情報に基づいて、前記第１端末が前記第２端末とデータ伝送を行うことを含む、
請求項１に記載のデバイスツーデバイスＤ２Ｄ通信方法。
【請求項３】
前記第２端末の属性情報が第２能力情報であり、前記第２能力情報は、前記第２端末がネットワークデバイスと通信を行う能力情報であり、
前記第１端末が前記第２端末とデータ伝送を行うことは、
前記第１端末は、前記第２能力情報に基づいて第１能力情報を確定することと、
前記第１能力情報に基づいて、前記第１端末は、前記第２端末とデータ伝送を行うこととを含み、
前記第１能力情報は、前記第２端末が前記第１端末と通信を行う能力情報である、
請求項１に記載のデバイスツーデバイスＤ２Ｄ通信方法。
【請求項４】
前記第１能力情報は、前記第２端末が前記第１端末とデータ伝送を行う時の最大受信帯域幅、最大送信帯域幅、送信可能な最大データブロックの大きさ、受信可能な最大データブロックの大きさ、送信アンテナ数及び受信アンテナ数のうちの少なくとも１つを含む、
請求項２又は３に記載のデバイスツーデバイスＤ２Ｄ通信方法。
【請求項５】
前記第１端末はネットワークデバイスに第１メッセージを送信することは、前記第１端末は基地局にアップリンク無線リソース制御（ＲＲＣ）メッセージを送信することを含み、前記アップリンクＲＲＣメッセージは、前記第２端末の属性情報の取得を要求するために用いられ、
前記第１端末は、ネットワークデバイスにより送信された第２メッセージを受信することは、前記第１端末は、前記基地局により送信されたダウンリンクＲＲＣメッセージを受信することを含み、前記ダウンリンクＲＲＣメッセージは、前記端末デバイスの属性情報を示すために用いられる、
請求項１乃至４のいずれか１項に記載のデバイスツーデバイスＤ２Ｄ通信方法。
【請求項６】
前記第１端末はネットワークデバイスに第１メッセージを送信することは、前記第１端末は、ＭＭＥにアップリンク非アクセス層（ＮＡＳ）メッセージを送信することを含み、前記アップリンクＮＡＳメッセージは、前記第２端末の属性情報の取得を要求するために用いられ、
前記第１端末は、ネットワークデバイスにより送信された第２メッセージを受信することは、前記第１端末は、前記モバイル管理エンティティ（ＭＭＥ）により送信されたダウンリンクＲＲＣメッセージを受信することを含み、前記ダウンリンクＲＲＣメッセージは、前記端末デバイスの属性情報を示すために用いられる、
請求項１乃至４のいずれか１項に記載のデバイスツーデバイスＤ２Ｄ通信方法。
【請求項７】
前記第２端末がサポートする無線周波数帯域幅は、１．４ＭＨＺ以下である、
請求項１乃至６のいずれか１項に記載のデバイスツーデバイスＤ２Ｄ通信方法。
【請求項８】
デバイスツーデバイスＤ２Ｄ通信方法であって、
ネットワークデバイスは第１端末の第１メッセージを受信することと、
前記第１メッセージに基づいて、前記ネットワークデバイスは第２端末の属性情報を取得することと、
前記第１端末が前記第２端末の前記属性情報に基づいて、前記第２端末にデータを送信するために、前記ネットワークデバイスは前記第１端末に第２メッセージを送信することとを含み、
前記第１メッセージは、前記第２端末の属性情報の取得を要求するために用いられ、
前記第２メッセージは、前記第２端末の属性情報を示すために用いられる、前記デバイスツーデバイスＤ２Ｄ通信方法。
【請求項９】
前記第２端末の属性情報は第１能力情報であり、前記第１能力情報は、前記第２端末が前記第１端末と通信を行う能力情報である、
請求項８に記載のデバイスツーデバイスＤ２Ｄ通信方法。
【請求項１０】
前記第１能力情報は、前記第２端末が前記第１端末とデータ伝送を行う時の最大受信帯域幅、最大送信帯域幅、送信可能な最大データブロックの大きさ、受信可能な最大データブロックの大きさ、送信アンテナ数及び受信アンテナ数のうちの少なくとも１つを含む、
請求項９に記載のデバイスツーデバイスＤ２Ｄ通信方法。
【請求項１１】
前記第２端末の属性情報が第２能力情報であり、前記第２能力情報は、前記第２端末がネットワークデバイスと通信を行う能力情報である、
請求項８に記載のデバイスツーデバイスＤ２Ｄ通信方法。
【請求項１２】
前記ネットワークデバイスが基地局であり、
前記ネットワークデバイスは第１端末により送信された第１メッセージを受信することは、前記基地局は前記第１端末により送信されたアップリンク無線リソース制御（ＲＲＣ）メッセージを受信することを含み、前記アップリンクＲＲＣメッセージは、第２端末の前記属性情報の取得を要求するために用いられ、
前記ネットワークデバイスは前記第２端末の属性情報を取得することは、ローカルに記憶されている前記第２端末の属性情報を取得すること、又は、ＭＭＥに前記第２端末の属性情報を要求することを含み、
前記ネットワークデバイスは前記第２端末に第２メッセージを送信することは、前記基地局は前記第１端末にダウンリンクＲＲＣメッセージを送信することを含み、前記ダウンリンクＲＲＣメッセージは、前記第２端末の前記属性情報を示すために用いられる、
請求項８乃至１１のいずれか１項に記載のデバイスツーデバイスＤ２Ｄ通信方法。
【請求項１３】
前記ネットワークデバイスはモバイル管理エンティティ（ＭＭＥ）であり、
前記ネットワークデバイスは第１端末により送信された第１メッセージを受信することは、前記ＭＭＥは前記第１端末により送信されたアップリンク非アクセス層（ＮＡＳ）メッセージを受信することを含み、前記アップリンクＮＡＳメッセージは、前記第２端末の前記属性情報の取得を要求するために用いられ、
前記ネットワークデバイスは前記第２端末の属性情報を取得することは、ローカルに記憶されている前記第２端末の属性情報を取得すること、又は、ＮＡＳに前記第２端末の属性情報を要求することを含み、
前記ネットワークデバイスは前記第２端末に第２メッセージを送信することは、前記ＭＭＥは前記第１端末にダウンリンクＮＡＳメッセージを送信することを含み、前記ＮＳＡ応答情報は、前記第２端末の前記属性情報を示すために用いられる、
請求項８乃至１１のいずれか１項に記載のデバイスツーデバイスＤ２Ｄ通信方法。
【請求項１４】
前記第２端末がサポートする無線周波数帯域幅は、１．４ＭＨＺ以下である、
請求項８乃至１３のいずれか１項に記載のデバイスツーデバイスＤ２Ｄ通信方法。
【請求項１５】
端末であって、
ネットワークデバイスに第１メッセージを送信するように構成される送信ユニットと、
ネットワークデバイスにより送信された第２メッセージを受信するように構成される受信ユニットと、
前記第２端末の属性情報に基づいて、前記第２端末とデバイスツーデバイスＤ２Ｄ通信を行うように構成されるデータ伝送ユニットと、を含み、
前記第１メッセージは、第２端末の属性情報の取得を要求するために用いられ、
前記第２メッセージは、前記第２端末の属性情報を示すために用いられる、前記端末。
【請求項１６】
前記第２端末の属性情報は第１能力情報であり、前記第１能力情報は、前記第２端末が前記端末と通信を行う能力情報であり、
前記データ伝送ユニットは、具体的に、
前記第１能力情報に基づいて、前記第２端末とデータ伝送を行うように構成される、
請求項１５に記載の端末。
【請求項１７】
前記第２端末の属性情報が第２能力情報であり、前記第２能力情報は、前記第２端末がネットワークデバイスと通信を行う能力情報であり、
前記データ伝送ユニットは、具体的に、
前記第２能力情報に基づいて、第１能力情報を確定し、前記第１能力情報に基づいて、前記第２端末とデータ伝送を行うように構成され、
前記第１能力情報は、前記第２端末が前記データ伝送ユニットと通信を行う能力情報である、
請求項１５に記載の端末。
【請求項１８】
前記第１能力情報は、前記第２端末が前記データ伝送ユニットとデータ伝送を行う時の最大受信帯域幅、最大送信帯域幅、送信可能な最大データブロックの大きさ、受信可能な最大データブロックの大きさ、送信アンテナ数及び受信アンテナ数のうちの少なくとも１つを含む、
請求項１６又は１７に記載の端末。
【請求項１９】
前記送信ユニットは、具体的に、基地局にアップリンク無線リソース制御（ＲＲＣ）メッセージを送信するように構成され、前記アップリンクＲＲＣメッセージは、前記第２端末の属性情報の取得を要求するために用いられ、
前記受信ユニットは、具体的に、前記基地局により送信されたダウンリンクＲＲＣメッセージを受信するように構成され、前記ダウンリンクＲＲＣメッセージは、前記端末デバイスの属性情報を示すために用いられる、
請求項１５乃至１８のいずれか１項に記載の端末。
【請求項２０】
前記送信ユニットは、具体的に、モバイル管理エンティティ（ＭＭＥ）にアップリンク非アクセス層（ＮＡＳ）メッセージを送信するように構成され、前記アップリンクＮＡＳメッセージは、前記第２端末の属性情報の取得を要求するために用いられ、
前記受信ユニットは、具体的に、前記ＭＭＥにより送信されたダウンリンクＲＲＣメッセージを受信するように構成され、前記ダウンリンクＲＲＣメッセージは、前記端末デバイスの属性情報を示すために用いられる、
請求項１５乃至１９のいずれか１項に記載の端末。
【請求項２１】
前記第２端末がサポートする無線周波数帯域幅は、１．４ＭＨＺ以下である、
請求項１５乃至２０のいずれか１項に記載の端末。
【請求項２２】
ネットワークデバイスであって、
第１端末からの第１メッセージを受信するように構成される受信ユニットと、
前記第１メッセージに基づいて、第２端末の属性情報を取得するように構成される取得ユニットと、
前記第１端末に第２メッセージを送信するように構成される送信ユニットと、を含み、
前記第１メッセージは、前記第２端末の属性情報の取得を要求するために用いられ、
前記第１端末が前記第２端末の前記属性情報に基づいて、前記第２端末とデバイスツーデバイスＤ２Ｄ通信を行うために、前記第２メッセージは、前記第２端末の属性情報を示すために用いられる、前記ネットワークデバイス。
【請求項２３】
前記第２端末の属性情報は第１能力情報であり、前記第１能力情報は、前記第２端末が前記第１端末と通信を行う能力情報である、
請求項２２に記載のネットワークデバイス。
【請求項２４】
前記第１能力情報は、前記第２端末が前記第１端末とデータ伝送を行う時の最大受信帯域幅、最大送信帯域幅、送信可能な最大データブロックの大きさ、受信可能な最大データブロックの大きさ、送信アンテナ数及び受信アンテナ数のうちの少なくとも１つを含む、
請求項２３に記載のネットワークデバイス。
【請求項２５】
前記第２端末の属性情報が第２能力情報であり、前記第２能力情報は、前記第２端末がネットワークデバイスと通信を行う能力情報である、
請求項２２に記載のネットワークデバイス。
【請求項２６】
前記ネットワークデバイスが基地局であり、
前記受信ユニットは、具体的に、前記第１端末により送信されたアップリンク無線リソース制御（ＲＲＣ）メッセージを受信するように構成され、前記アップリンクＲＲＣメッセージは、第２端末の前記属性情報の取得を要求するために用いられ、
前記取得ユニットは、具体的に、ローカルに記憶されている前記第２端末の属性情報を取得し、又は、ＭＭＥに前記第２端末の属性情報を要求するように構成され、
前記送信ユニットは、具体的に、前記第１端末にダウンリンクＲＲＣメッセージを送信するように構成され、前記ダウンリンクＲＲＣメッセージは、前記第２端末の前記属性情報を示すために用いられる、
請求項２２乃至２５のいずれか１項に記載のネットワークデバイス。
【請求項２７】
前記ネットワークデバイスはモバイル管理エンティティ（ＭＭＥ）であり、
前記受信ユニットは、具体的に、前記第１端末により送信されたアップリンクＮＡＳメッセージを受信するように構成され、前記アップリンクＮＡＳメッセージは、前記第２端末の前記属性情報の取得を要求するために用いられ、
前記取得ユニットは、具体的に、ローカルに記憶されている前記第２端末の属性情報を取得すること、又は、ＮＡＳに前記第２端末の属性情報を要求することを含み、
前記送信ユニットは、具体的に、前記第１端末にダウンリンク非アクセス層（ＮＡＳ）メッセージを送信するように構成され、前記ＮＳＡ応答情報は、前記第２端末の前記属性情報を示すために用いられる、
請求項２２乃至２５のいずれか１項に記載のネットワークデバイス。
【請求項２８】
前記第２端末がサポートする無線周波数帯域幅は、１．４ＭＨＺ以下である、
請求項２２乃至２７のいずれか１項に記載のネットワークデバイス。
【発明の詳細な説明】
【技術分野】
【０００１】
本発明は通信分野に関し、具体的に、デバイスツーデバイス通信方法、端末デバイス及びネットワークデバイスに関する。
【背景技術】
【０００２】
現在、デバイスツーデバイス（Ｄ２Ｄ：Ｄｅｖｉｃｅ−ｔｏ−Ｄｅｖｉｃｅ）技術は、隣接する端末が近距離の範囲でダイレクトリンクを介してデータ伝送を行う方式であり、ネットワークデバイスを介して転送する必要がない。
【０００３】
ここで、Ｄ２Ｄ技術は、セルラーシステムとライセンス周波数帯リソースを共有利用する可能なデバイスツーデバイス技術であり、統一された混合セルラーとＤ２Ｄネットワークを形成する。
【０００４】
Ｄ２Ｄ通信において、端末間の通信は、ネットワークデバイスによりスケジューリングされず、データ伝送の失敗を起こしやすいため、Ｄ２Ｄ通信の成功率を向上させることができる通信方法を提案する必要がある。
【発明の概要】
【発明が解決しようとする課題】
【０００５】
本発明の実施例は、Ｄ２Ｄ通信のデータ伝送の成功率を向上させることができるデバイスツーデバイス通信方法、端末デバイス及びネットワークデバイスを提供する。
【課題を解決するための手段】
【０００６】
第１形態は、Ｄ２Ｄ通信方法を提供し、第１端末はネットワークデバイスに第１メッセージを送信することと、前記第１端末は、ネットワークデバイスにより送信された第２メッセージを受信することと、前記第２端末の属性情報に基づいて、前記第１端末が前記第２端末とデータ伝送を行うこととを含み、前記第１メッセージは、第２端末の属性情報の取得を要求するために用いられ、前記第２メッセージは、前記第２端末の属性情報を示すために用いられる。
【０００７】
第１形態を参照し、第１形態の第１種の実現可能な形態において、前記第２端末の属性情報は第１能力情報であり、前記第１能力情報は、前記第２端末が前記第１端末と通信を行う能力情報であり、前記第１端末が前記第２端末とデータ伝送を行うことは、前記第１能力情報に基づいて、前記第１端末が前記第２端末とデータ伝送を行うことを含む。
【０００８】
第１形態を参照し、第１形態の第２種の実現可能な形態において、前記第２端末の属性情報が第２能力情報であり、前記第２能力情報は、前記第２端末がネットワークデバイスと通信を行う能力情報であり、前記第１端末が前記第２端末とデータ伝送を行うことは、前記第１端末は、前記第２能力情報に基づいて第１能力情報を確定することと、前記第１能力情報に基づいて、前記第１端末が前記第２端末とデータ伝送を行うこととを含み、前記第１能力情報は、前記第２端末が前記第１端末と通信を行う能力情報である。
【０００９】
第１形態の第１種又は第２種の実現可能な形態を参照し、第１形態の第３種の実現可能な形態において、前記第１能力情報は、前記第２端末が前記第１端末とデータ伝送を行う時の最大受信帯域幅、最大送信帯域幅、送信可能な最大データブロックの大きさ、受信可能な最大データブロックの大きさ、送信アンテナ数及び受信アンテナ数のうちの少なくとも１つを含む。
【００１０】
任意選択で、第２能力情報は、第２端末のパケットデータコンバージェンスプロトコル（ＰＤＣＰ：Ｐａｃｋｅｔ  Ｄａｔａ  Ｃｏｎｖｅｒｇｅｎｃｅ  Ｐｒｏｔｏｃｏｌ）層、無線リンク制御(ＲＬＣ：Ｒａｄｉｏ  Ｌｉｎｋ  Ｃｏｎｔｒｏｌ)層、物理層及び無線周波数の能力情報等を含むことができる。
【００１１】
そして、Ｄ２Ｄ通信過程において、第１端末がネットワークデバイスに第２端末の属性情報を要求し、第２端末の属性情報に基づいて第２端末と通信を行うことで、データ通信の成功率を向上させることができ、例えば、属性情報に第２端末の最大受信帯域幅、受信可能な最大データブロックの大きさ又は受信アンテナ数が含まれる場合、送信データが占用する帯域幅が大きすぎ、データブロックが大きすぎることより第２端末のデータが受信失敗することを回避することができ、例えば、属性情報に第２端末の最大送信帯域幅、送信可能な最大データブロックの大きさ、送信アンテナ数が含まれる場合、第１端のデータ受信失敗を回避することができる。
【００１２】
さらに、第１端末は、第２端末がネットワークデバイスと通信を行う能力情報に基づいて、第２端末が第１端末と通信を行う能力情報を確定することで、セルラネットワーク通信の能力情報を参考してＤ２Ｄ通信を行うことができ、プロトコルをできるだけ変更せず、Ｄ２Ｄ通信の成功率を向上させることができる。
【００１３】
第１形態又は上記任意の実現可能な形態を参照し、第１形態の第４種の実現可能な形態において、前記第１端末はネットワークデバイスに第１メッセージを送信することは、前記第１端末は基地局にアップリンク無線リソース制御（ＲＲＣ）メッセージを送信することを含み、前記アップリンクＲＲＣメッセージは、前記第２端末の属性情報の取得を要求するために用いられ、前記第１端末は、ネットワークデバイスにより送信された第２メッセージを受信することは、前記第１端末は、前記基地局により送信されたダウンリンクＲＲＣメッセージを受信することを含み、前記ダウンリンクＲＲＣメッセージは、前記端末デバイスの属性情報を示すために用いられる。
【００１４】
第１形態又は上記任意の実現可能な形態を参照し、第１形態の第５種の実現可能な形態において、前記第１端末はネットワークデバイスに第１メッセージを送信することは、前記第１端末は、ＭＭＥにアップリンク非アクセス層（ＮＡＳ）メッセージを送信することを含み、前記アップリンクＮＡＳメッセージは、前記第２端末の属性情報の取得を要求するために用いられ、前記第１端末は、ネットワークデバイスにより送信された第２メッセージを受信することは、前記第１端末は、前記モバイル管理エンティティ（ＭＭＥ）により送信されたダウンリンクＲＲＣメッセージを受信することを含み、前記ダウンリンクＲＲＣメッセージは、前記端末デバイスの属性情報を示すために用いられる。
【００１５】
第１形態又は上記任意の実現可能な形態を参照し、第１形態の第６種の実現可能な形態において、前記第２端末がサポートする無線周波数帯域幅は、１．４ＭＨＺ以下である。
【００１６】
第２形態は、Ｄ２Ｄ通信方法を提供し、ネットワークデバイスは第１端末の第１メッセージを受信することと、前記第１メッセージに基づいて、前記ネットワークデバイスは前記第２端末の属性情報を取得することと、前記ネットワークデバイスは前記第１端末に第２メッセージを送信することとを含み、前記第１メッセージは、第２端末の属性情報の取得を要求するために用いられ、前記第１端末が前記第２端末の前記属性情報に基づいて前記第２端末にデータを送信するために、前記第２メッセージは、前記第２端末の属性情報を示すために用いられる。
【００１７】
第２形態を参照し、第２形態の第１種の実現可能な形態において、前記第２端末の属性情報は第１能力情報であり、前記第１能力情報は、前記第２端末が前記第１端末と通信を行う能力情報である。
【００１８】
第２形態の第１種の実現可能な形態を参照し、第２形態の第２種の実現可能な形態において、前記第１能力情報は、前記第２端末が前記第１端末とデータ伝送を行う時の最大受信帯域幅、最大送信帯域幅、送信可能な最大データブロックの大きさ、受信可能な最大データブロックの大きさ、送信アンテナ数及び受信アンテナ数のうちの少なくとも１つを含む。
【００１９】
第２形態を参照し、第２形態の第３種の実現可能な形態において、前記第２端末の属性情報が第２能力情報であり、前記第２能力情報は、前記第２端末がネットワークデバイスと通信を行う能力情報である。
【００２０】
第２形態又は上記任意の実現可能な形態を参照し、第２形態の第４種の実現可能な形態において、前記ネットワークデバイスが基地局であり、前記ネットワークデバイスは第１端末により送信された第１メッセージを受信することは、前記基地局は前記第１端末により送信されたアップリンク無線リソース制御（ＲＲＣ）メッセージを受信することを含み、前記アップリンクＲＲＣメッセージは、第２端末の前記属性情報の取得を要求するために用いられ、前記ネットワークデバイスは前記第２端末の属性情報を取得することは、ローカルに記憶されている前記第２端末の属性情報を取得すること、又は、ＭＭＥに前記第２端末の属性情報を要求することを含み、前記ネットワークデバイスは前記第２端末に第２メッセージを送信することは、前記基地局は前記第１端末にダウンリンクＲＲＣメッセージを送信することを含み、前記ダウンリンクＲＲＣメッセージは、前記第２端末の前記属性情報を示すために用いられる。
【００２１】
第２形態又は上記任意の実現可能な形態を参照し、第２形態の第５種の実現可能な形態において、前記ネットワークデバイスはモバイル管理エンティティ（ＭＭＥ）であり、前記ネットワークデバイスは第１端末により送信された第１メッセージを受信することは、前記ＭＭＥは前記第１端末により送信されたアップリンク非アクセス層（ＮＡＳ）メッセージを受信することを含み、前記アップリンクＮＡＳメッセージは、前記第２端末の前記属性情報の取得を要求するために用いられ、前記ネットワークデバイスは前記第２端末の属性情報を取得することは、ローカルに記憶されている前記第２端末の属性情報を取得すること、又は、ＮＡＳに前記第２端末の属性情報を要求することを含み、前記ネットワークデバイスは前記第２端末に第２メッセージを送信することは、前記ＭＭＥは前記第１端末にダウンリンクＮＡＳメッセージを送信することを含み、前記ＮＳＡ応答情報は、前記第２端末の前記属性情報を示すために用いられる。
【００２２】
第２形態又は上記任意の実現可能な形態を参照し、第２形態の第６種の実現可能な形態において、前記第２端末がサポートする無線周波数帯域幅は、１．４ＭＨＺ以下である。
【００２３】
第３形態は、端末を提供し、上記の第１形態又は第１形態のいかなる実現可能な形態の方法を実行するように構成される。具体的に、該通信デバイスは、上記の第１形態又は第１形態のいかなる実現可能な形態の方法を実行するように構成されるユニットを含む。
【００２４】
第４形態は、ネットワークデバイスを提供し、上記の第２形態又は第２形態のいかなる実現可能な形態の方法を実行するように構成される。具体的に、該通信デバイスは、上記の第２形態又は第２形態のいかなる実現可能な形態の方法を実行するように構成されるユニットを含む。
【００２５】
第５形態は、端末を提供し、メモリー及びプロセッサを含み、該メモリーには命令が記憶され、該プロセッサは、該メモリーに記憶される命令を実行するように構成され、該プロセッサは、該メモリーに記憶される命令を実行する場合、第１形態又は第１形態のいかなる実現可能な形態の方法を実行する。
【００２６】
第６形態は、ネットワークデバイスを提供し、メモリー及びプロセッサを含み、該メモリーには命令が記憶され、該プロセッサは、該メモリーに記憶される命令を実行するように構成され、該プロセッサは、該メモリーに記憶される命令を実行する場合、第２形態又は第２形態のいかなる実現可能な形態の方法を実行する。
【００２７】
第７形態は、コンピュータプログラムが記憶されるコンピュータ記憶媒体を提供し、該コンピュータプログラムは、第１形態又は第１形態のいかなる実現可能な形態の方法を実行するために用いられる。
【００２８】
第８形態は、コンピュータプログラムが記憶されるコンピュータ記憶媒体を提供し、該コンピュータプログラムは、第２形態又は第２形態のいかなる実現可能な形態の方法を実行するために用いられる。
【図面の簡単な説明】
【００２９】
【図１】本願の実施例の応用シーンの図である。
【図２】本願の実施例におけるＤ２Ｄ通信方法の概略的なフローチャートである。
【図３】本願の実施例におけるＤ２Ｄ通信方法の概略的なフローチャートである。
【図４】本願の実施例におけるＤ２Ｄ通信方法の概略的なフローチャートである。
【図５】本願の実施例における端末の概略的なブロック図である。
【図６】本願の実施例におけるネットワークデバイスの概略的なブロック図である。
【図７】本願の実施例における端末の概略的なブロック図である。
【図８】本願の実施例におけるネットワークデバイスの概略的なブロック図である。
【発明を実施するための形態】
【００３０】
本発明の実施例の技術的な解決策をより明確に説明するため、以下に実施例又は従来技術の記述において必要な図面を簡単に説明するが、明らかに、以下に記載する図面は本発明のいくつかの実施例だけであり、当業者であれば、創造的な労力を要することなく、これらの図面に基づいて他の図面を得ることができる。
【００３１】
以下に本発明の実施例の図面を組み合わせながら、本発明の実施例に係る技術的解決策を明確で、全面的に説明し、明らかに、説明した実施例は本発明の一部の実施例だけであり、全ての実施例ではない。本発明の実施例に基づき、当業者が創造的な労力を要せずに得た他の実施例は、全て本発明の保護範囲に属する。
【００３２】
本明細書に使用される用語「コンポーネント」、「モジュール」、「システム」などはコンピュータに関連するエンティティ、ハードウェア、ファームウェア、ハードウェアとソフトウェアの組み合わせ、ソフトウェア、又は実行中のソフトウェアを表すことに用いられる。例えば、コンポーネントは、プロセッサで実行されているプロセス、プロセッサ、オブジェクト、実行可能ファイル、実行スレッド、プログラム及び/又はコンピュータであってもよいが、これらに限定されない。図面に示すように、コンピューティングデバイスで動作しているアプリケーション及びコンピューティングデバイスは全てコンポーネントであってもよい。一つ又は複数のコンポーネントはプロセス及び／又は実行スレッドに常駐することができ、コンポーネントは一つのコンピュータに置かれてもよく及び／又は２つ以上のコンピュータの間に配布してもよい。その他、これらのコンポーネントは、様々なデータ構造が記憶されている様々なコンピュータ可読媒体から実行されてもよい。コンポーネントは例えば一つ又は複数のデータグループ（例えばローカルシステム、分散型システム及び／又はネットワーク間の別のコンポーネントとインタラクションを行う二つのコンポーネントからのデータ、例えば信号によって他のシステムとインタラクションを行うインターネット）を含む信号に基づいて、ローカル及び／又は遠隔プロセスにより通信することができる。
【００３３】
本発明の各形態又は特徴は、方法、装置、又は標準プログラミング及び／又は工程技術を使用する製品として実現されることができる。本願に使用する「製品」は、任意のコンピューター読み可能部品、担体又は媒体からアクセスする可能なコンピュータープログラムを含む。例えば、コンピュータ可読媒体は、磁気メモリ（例えば、ハードディスク、フレキシブルディスク又はテープ等）、ディスク（例えば、ＣＤ（Ｃｏｍｐａｃｔ  Ｄｉｓｋ、コンパクトディスク）、ＤＶＤ（Ｄｉｇｉｔａｌ  Ｖｅｒｓａｔｉｌｅ  Ｄｉｓｋ、デジタル多用途ディスク）等）、スマートカードとフラッシュメモリデバイス（例えば、ＥＰＲＯＭ（Ｅｒａｓａｂｌｅ  Ｐｒｏｇｒａｍｍａｂｌｅ  Ｒｅａｄ−Ｏｎｌｙ  Ｍｅｍｏｒｙ、プログラム可能読取り専用記憶装置）、カード、スティック又はキードライバ等）であってもよいが、これらに限定されない。また、ここで記載される各種の記憶媒体は、情報を記憶するための１つの又は複数のデバイス及び／又は他の機械可読媒体であってもよい。「機械可読媒体」という用語は、無線チャネル、及び／又は命令及び／又はデータを記憶、含み及び／又はベアラする可能な各種の他の媒体を含むが、これらに限定されない。
【００３４】
本願の実施例における端末デバイスは、アクセス端末、ユーザユニット、ユーザサイト、移動サイト、移動局、遠隔サイト、遠隔端末、移動装置、ユーザ端末、端末、無線通信装置、ユーザエージェント又はユーザデバイスであってもよい。移動局は、ワイヤレスローカルエリアネットワーク（ＷＬＡＮ：Ｗｉｒｅｌｅｓｓ  Ｌｏｃａｌ  Ａｒｅａ  Ｎｅｔｗｏｒｋｓ）のステーション（ＳＴ：ＳＴＡＴＩＯＮ）、セルラー電話、コードレス電話、セッション開始プロトコル（ＳＩＰ：Ｓｅｓｓｉｏｎ  Ｉｎｉｔｉａｔｉｏｎ  Ｐｒｏｔｏｃｏｌ）電話、無線ローカルループ（ＷＬＬ：Ｗｉｒｅｌｅｓｓ  Ｌｏｃａｌ  Ｌｏｏｐ）サイト、パーソナルデジタル処理（ＰＤＡ：Ｐｅｒｓｏｎａｌ  Ｄｉｇｉｔａｌ  Ａｓｓｉｓｔａｎｔ）、無線通信機能を備えたハンドヘルドデバイス、コンピューティングデバイス又は無線モデムに接続された他の処理デバイス、車載デバイス、ウェアラブルデバイス、将来の５Ｇネットワークにおける移動局などであってもよい。基地局は、ＧＳＭ又はＣＤＭＡにおける基地局（ＢＴＳ：Ｂａｓｅ  Ｔｒａｎｓｃｅｉｖｅｒ  Ｓｔａｔｉｏｎ）、ＷＣＤＭＡシステムにおける基地局（ＮＢ：ＮｏｄｅＢ）、ＬＴＥシステムにおける進化型基地局（Ｅｖｏｌｕｔｉｏｎａｌ  Ｎｏｄｅ  Ｂ、ｅＮＢ又はｅＮｏｄｅＢ）であってもよく、又は該ネットワーク装置は中継局、アクセスポイント、車載デバイス、ウェアラブルデバイス及び将来の５Ｇネットワークにおけるアクセスネットワーク装置などであってもよい。
【００３５】
図１は本願の実施例の応用シーン１００の図である。図１において、ＵＥ１０２、ＵＥ１０３、ＵＥ１０４が基地局１０１のカバレッジ範囲に位置し、ＵＥ１０２、ＵＥ１０３及びＵＥ１０４は、基地局と直接的に通信することができ、ＵＥ１０２、ＵＥ１０３及びＵＥ１０４の間でＤ２Ｄ通信を行うことができ、ＵＥ１０５とＵＥ１０６は、基地局のカバレッジ範囲に位置せず、ＵＥ１０５とＵＥ１０６は、Ｄ２Ｄ通信を直接的に行い、又は、ＵＥ１０２、ＵＥ１０３及びＵＥ１０４はＤ２Ｄ通信を行うことができる。
【００３６】
Ｄ２Ｄ技術は、自身の短距離通信の特徴及び直接通信方式により、以下の利点を有する。
【００３７】
１．端末の近距離直接通信方式によって、高いデータレート、低い遅延及び低い消費電力を実現することができる。
【００３８】
２．ネットワークに広く分布される端末及びＤ２Ｄ通信リンクの短距離の特徴を利用して、スペクトルリソースの有効利用を実現し、リソース空間分割多重化利得を得る。
【００３９】
３．Ｄ２Ｄの直接通信方式は、例えば無線Ｐ２Ｐ等のサービスのローカルデータ共有要求を適応し、柔軟性を有するデータサービスを提供することができる。
【００４０】
４．Ｄ２Ｄ直接通信は、ネットワークに広く分布される、数多くの通信端末を利用して、ネットワークのカバレッジ範囲を拡大することができる。
【００４１】
混合セルラーとＤ２Ｄネットワークにおいて、端末は２種の異なるモードで通信することができる。１つはセルラー通信モードであり、端末が基地局を介して通信を行い、もう１つは、Ｄ２Ｄモードであり、端末がＤ２Ｄリンクを利用して直接的に通信を行う。当該混合ネットワークにおいて、一部の端末は変わらずにセルラー通信モードで基地局を介して情報転送及び通信を行い、一部の端末はデバイスツーデバイスモードでデータの直接伝送を行う。
【００４２】
Ｄ２Ｄは、公共の安全サービスだけではなく、商用シーンにも適用されることが可能であり、カバレッジの拡張、デバイスの節電などの実際の問題を解決する。例えば、端末の中継技術を利用してカバレッジの補強を実現し、セルラーネットワークにカバレッジされていない端末は、中継技術を利用してネットワークとのデータ通信を行い、ある意味において、ネットワークカバレッジの拡大を実現している。また、類似の短距離通信を利用して、端末の送信電力を省き、端末の電池寿命の延長に有利である。
【００４３】
モノのインターネット（Ｉｎｔｅｒｎｅｔ  ｏｆ  ｔｈｉｎｇｓ）の台頭に伴い、長期的進化システム（ＬＴＥ：Ｌｏｎｇ  Ｔｅｒｍ  Ｅｖｏｌｕｔｉｏｎ）においてマシンタイプ通信（ＭＴＣ：Ｍａｃｈｉｎｅ  Ｔｙｐｅ  Ｃｏｍｍｕｎｉｃａｔｉｏｎ）がサポートされることは、ますます注目されている。３ＧＰＰ  Ｒｅｌｅａｓｅ  １３においてＭＴＣに対する物理層の補強プロジェクトが設立されている。１つのＭＴＣデバイス（ＭＴＣ端末）は、多種のＭ２Ｍ（Ｍａｃｈｉｎｅ  Ｔｏ  Ｍａｃｈｉｎｅ、マシンツーマシン）通信特性のうちの一部の特性を有する可能性があり、例えば、低移動性で、伝送データ量が小さく、通信に対する遅延が敏感でなく、消費電力が非常に低く要求される等という特徴である。ここで、ＭＴＣ端末のコストを低減するために、１種の端末タイプが新たに定義され、そのアップリンク及びダウンリンクのいずれも１．４ＭＨｚ無線周波数帯域幅だけ、又はそれより低いシステム帯域幅、例えば２００ＫＨｚをサポートする。
【００４４】
Ｄ２Ｄ通信過程において、送信端末が受信端末の属性情報を知らない場合、データ伝送が受信端末の受信規制を越える可能性があり、例えば、受信帯域幅、又は最大受信ブロック大きさ等を超え、この場合、受信端末がデータを正確に受信することができない。そして、本願の実施例は、Ｄ２Ｄ通信方法、端末デバイス及びネットワークデバイスを提供する。
【００４５】
図２は本願の実施例におけるＤ２Ｄ通信方法のフローチャートである。
【００４６】
２１０において、第１端末はネットワークデバイスに第１メッセージを送信し、前記第１メッセージは、第２端末の属性情報の取得を要求するために用いられる。
【００４７】
任意選択で、当該第１メッセージに第２端末の識別子及び要求の内容が含まれることができる。
【００４８】
２２０において、ネットワークデバイスは、第１端末により送信された第１メッセージを受信した後、第１端末の属性情報を取得する。
【００４９】
２３０において、ネットワークデバイスは、第１端末に第２メッセージを送信し、当該第２メッセージに第１端末の属性情報が含まれる。
【００５０】
任意選択で、ネットワークデバイスは、透過的なコンテナ又は明示的なセルの方式によって当該第２メッセージを送信することができる。
【００５１】
２４０において、前記第１端末は、ネットワークデバイスにより送信された第２メッセージを受信した後、第２端末とデータ伝送を行う。
【００５２】
任意選択で、本願の実施例において、第１端末は、ＰＣ５インターフェイスを介して第２端末にデータを送信してもよい。ここで、ＰＣ５インターフェイスは、端末間の通信インターフェイスである。
【００５３】
任意選択で、当該第２端末の属性情報が第１能力情報であり、当該第１能力情報は、当該第２端末が当該第１端末と通信を行う能力情報であり、当該第１能力情報に基づいて、当該第１端末が当該第２端末とデータ伝送を行う。
【００５４】
つまり、ネットワークデバイスは、第２端末が第１端末と通信する能力情報を、第１端末に直接的に通知し、それによって、第１端末は、第２端末が第１端末と通信する能力情報に基づいて、データ伝送を直接的に行うことができる。
【００５５】
任意選択で、当該第２端末の属性情報が第２能力情報であり、当該第２能力情報は、当該第２端末がネットワークデバイスと通信を行う能力情報であり、当該第１端末は、当該第２能力情報に基づいて、第１能力情報を確定し、当該第１能力情報は、当該第２端末が当該第１端末と通信を行う能力情報であり、当該第１能力情報に基づいて、当該第１端末は当該第２端末とデータ伝送を行う。
【００５６】
つまり、ネットワークデバイスは、第２端末がネットワークデバイスと通信する能力情報を、第１端末に通知し、第１端末は、第２端末がネットワークデバイスと通信する能力情報に基づいて、第２端末が第１端末と通信する能力情報を確定することができる。
【００５７】
例えば、第１端末は、第２端末がネットワークデバイスと通信する能力情報を、第２端末が第１端末と通信する能力情報として確定してもよい。例えば、第１端末は、第２端末がネットワークデバイスと通信を行う能力情報を、そのまま第２端末と第１端末との間で通信する能力情報としてもよい。
【００５８】
任意選択で、当該第１能力情報は、当該第２端末が当該第１端末とデータ伝送を行う時の最大受信帯域幅、最大送信帯域幅、送信可能な最大データブロックの大きさ、受信可能な最大データブロックの大きさ、送信アンテナ数及び受信アンテナ数のうちの少なくとも１つを含む。
【００５９】
任意選択で、第２能力情報は、第２端末のパケットデータコンバージェンスプロトコル（ＰＤＣＰ：Ｐａｃｋｅｔ  Ｄａｔａ  Ｃｏｎｖｅｒｇｅｎｃｅ  Ｐｒｏｔｏｃｏｌ）層、無線リンク制御(ＲＬＣ：Ｒａｄｉｏ  Ｌｉｎｋ  Ｃｏｎｔｒｏｌ)層、物理層及び無線周波数の能力情報等を含む。
【００６０】
そのため、Ｄ２Ｄ通信過程において、第１端末がネットワークデバイスに第２端末の属性情報を要求し、第２端末の属性情報に基づいて第２端末と通信を行うことで、データ通信の成功率を向上させることができ、例えば、属性情報に第２端末の最大受信帯域幅、受信可能な最大データブロックの大きさ又は受信アンテナ数が含まれる場合、送信データが占用する帯域幅が大きすぎ、データブロック大きすぎることにより、第２端末のデータが受信失敗することを回避することができ、例えば、属性情報に第２端末の最大送信帯域幅、送信可能な最大データブロックの大きさ、送信アンテナ数が含まれる場合、第１端のデータ受信失敗を回避することができる。
【００６１】
さらに、第１端末は、第２端末がネットワークデバイスと通信を行う能力情報に基づいて、第２端末が第１端末と通信を行う能力情報を確定することで、セルラネットワーク通信の能力情報を参考してＤ２Ｄ通信を行い、プロトコルをできるだけ変更せず、Ｄ２Ｄ通信の成功率を向上させることができる。
【００６２】
本願の実施例におけるネットワークデバイスは、基地局、ＭＭＥ又はその他のネットワークデバイスであってもよい。理解を容易にするために、以下、図３及び図４をそれぞれ参照し、ネットワークデバイスが基地局やＭＭＥである場合、本願の実施例におけるＤ２Ｄ通信方法を説明する。
【００６３】
図３は本願の実施例におけるＤ２Ｄの通信方法３００のフローチャートである。
【００６４】
３１０において、第１端末は、ＰＣ５インターフェイスを介して第２端末に送信しようとするデータが存在することを確定した場合、Ｕｕインターフェイスを介して、基地局にアップリンクＲＲＣメッセージを送信して、第２端末の属性情報を要求する。
【００６５】
任意選択で、当該アップリンクＲＲＣメッセージは、ｓｉｄｅｌｉｎｋＵＥｉｎｆｏｒｍａｔｉｏｎメッセージであってもよいし、その他のアップリンクＲＲＣメッセージであってもよい。
【００６６】
３２０において、基地局は、第１端末により送信されたアップリンク無線リソース制御（ＲＲＣ：Ｒａｄｉｏ  Ｒｅｓｏｕｒｃｅ  Ｃｏｎｔｒｏｌ）メッセージを受信した後、ローカルに第２端末の属性情報が記憶されているかどうかを判断し、記憶されている場合、３８０を実行し、記憶されていない場合、３３０を実行する。
【００６７】
３３０において、基地局は、第２端末の属性情報が記憶されていないことを確定した場合、モバイル管理エンティティ（ＭＭＥ：Ｍｏｂｉｌｉｔｙ  Ｍａｎａｇｅｍｅｎｔ  Ｅｎｔｉｔｙ）に要求メッセージを送信し、当該要求メッセージは、Ｓ１メッセージであってもよく、第２端末の属性情報を要求するために用いられる。
【００６８】
３４０において、ＭＭＥは、基地局により送信された当該要求メッセージを受信した後、ローカルに当該第２端末の属性情報が記憶されているかどうかを判定し、記憶されている場合、３７０を実行し、記憶されていない場合、３５０を実行する。
【００６９】
３５０において、ＭＭＥは、第２端末の属性情報が記憶されていないことを確定した場合、ホーム加入者サーバ（ＨＳＳ：Ｈｏｍｅ  Ｓｕｂｓｃｒｉｂｅｒ  Ｓｅｒｖｅｒ）に要求メッセージを送信し、第２端末の属性情報を要求する。
【００７０】
３６０において、ＨＳＳは、第２端末の属性情報を取得し、ＭＭＥに当該第２端末の属性情報を付ける応答メッセージを送信する。
【００７１】
３７０において、ＭＭＥは、ローカルから第２端末の属性情報を取得した後、又は、ＨＳＳにより送信された属性情報を受信した後、基地局に応答メッセージを送信し、当該応答メッセージに第２端末の属性情報が含まれる。
【００７２】
３８０において、基地局は、ローカルから第２端末の属性情報を取得した後、又は、ＭＭＥにより送信された属性情報を受信した後、第１端末にダウンリンクＲＲＣメッセージを送信し、当該ダウンリンクＲＲＣメッセージに第２端末の属性情報が含まれる。
【００７３】
任意選択で、当該ダウンリンクＲＲＣメッセージは、ＲＲＣ再構成メッセージであってもよい。
【００７４】
３９０において、第１端末は、第２端末の属性情報に基づいて、第２端末と通信する。
【００７５】
図４は本願の実施例におけるＤ２Ｄの通信方法４００のフローチャートである。
【００７６】
４１０において、第１端末は、ＰＣ５インターフェイスを介して第２端末にデータを送信しようとするデータが存在することを確定する場合、Ｕｕインターフェイスを介して、ＭＭＥにアップリンク非アクセス層（ＮＡＳ：Ｎｏｎ−ａｃｃｅｓｓ  ｓｔｒａｔｕｍ）メッセージを送信して、第２端末の属性情報を要求する。任意選択で、当該アップリンクＮＡＳメッセージは、ＵＥ  ｉｎｆｏｒｍａｔｉｏｎ  ｒｅｑｕｅｓｔであってもよい。
【００７７】
４２０において、ＭＭＥは、第１端末により送信されたアップリンクＮＡＳメッセージを受信した後、ローカルに第２端末の属性情報が記憶されているかどうかを判断し、記憶されている場合、４６０を実行し、記憶されていない場合、４３０を実行する。
【００７８】
４３０において、ＭＭＥは、第２端末の属性情報が記憶されないと確定した場合、ＨＳＳに要求メッセージを送信して、第２端末の属性情報を要求する。
【００７９】
４４０において、ＨＳＳは、第２端末の属性情報を取得し、ＭＭＥに応答メッセージを送信し、当該第２端末の属性情報を付ける。
【００８０】
４５０において、ＭＭＥは、ローカルから第２端末の属性情報を取得した後、又は、ＨＳＳにより送信された属性情報を受信した後、第１端末にダウンリンクＮＡＳメッセージを送信し、当該ダウンリンクＮＡＳメッセージに第２端末の属性情報が含まれる。任意選択で、当該ダウンリンクＮＡＳメッセージは、ＵＥ  ｉｎｆｏｒｍａｔｉｏｎ  ｒｅｓｐｏｎｓｅであってもよい。
【００８１】
任意選択で、ＭＭＥは、ＲＲＣ透過的な容器の方式によって当該属性情報をダウンリンクＮＡＳメッセージでＵＥに送信してもよい。
【００８２】
４６０において、第１端末は、第２端末の属性情報に基づいて、第２端末と通信を行う。
【００８３】
本願の実施例の各要求メッセージには、第２端末の識別子及び要求する内容対象が含まれることができる。各応答メッセージには、第２端末の識別子及び要求する内容対象の値が含まれることができる。
【００８４】
図５は本願の実施例における端末５００のブロック図である。図５に示すように、当該端末５００は、ネットワークデバイスに第１メッセージを送信するように構成される送信ユニット５１０と、ネットワークデバイスにより送信された第２メッセージを受信するように構成される受信ユニット５２０と、当該第２端末の属性情報に基づいて当該第２端末とデバイスツーデバイスＤ２Ｄ通信を行うように構成されるデータ伝送ユニット５３０とを含み、当該第１メッセージは、第２端末の属性情報の取得を要求するために用いられ、当該第２メッセージは、当該第２端末の属性情報を示すために用いられる。
【００８５】
任意選択で、当該第２端末の属性情報は第１能力情報であり、当該第１能力情報は、当該第２端末が当該端末と通信を行う能力情報であり、当該データ伝送ユニット５３０は、具体的に、当該第１能力情報に基づいて、当該第２端末とデータ伝送を行うように構成される。
【００８６】
任意選択で、当該第２端末の属性情報が第２能力情報であり、当該第２能力情報は、当該第２端末がネットワークデバイスと通信を行う能力情報であり、当該データ伝送ユニット５３０は、具体的に、当該第２能力情報に基づいて、第１能力情報を確定し、当該第１能力情報に基づいて、当該第２端末とデータ伝送を行うように構成され、当該第１能力情報は、当該第２端末が当該データ伝送ユニットと通信する能力情報である。
【００８７】
任意選択で、当該第１能力情報は、当該第２端末が当該データ伝送ユニットとデータ伝送を行う時の最大受信帯域幅、最大送信帯域幅、送信可能な最大データブロックの大きさ、受信可能な最大データブロックの大きさ、送信アンテナ数及び受信アンテナ数のうちの少なくとも１つを含む。
【００８８】
任意選択で、当該送信ユニット５１０は、具体的に、基地局にアップリンク無線リソース制御（ＲＲＣ）メッセージを送信するように構成され、当該アップリンクＲＲＣメッセージは、当該第２端末の属性情報の取得を要求するために用いられ、当該受信ユニット５２０は、具体的に、当該基地局により送信されたダウンリンクＲＲＣメッセージを受信するように構成され、当該ダウンリンクＲＲＣメッセージは、当該端末デバイスの属性情報を示すために用いられる。
【００８９】
任意選択で、当該送信ユニット５１０は、具体的に、モバイル管理エンティティ（ＭＭＥ）にアップリンク非アクセス層（ＮＡＳ）メッセージを送信するように構成され、当該アップリンクＮＡＳメッセージは、当該第２端末の属性情報の取得を要求するために用いられ、当該受信ユニット５２０は、具体的に、当該ＭＭＥにより送信されたダウンリンクＲＲＣメッセージを受信するように構成され、当該ダウンリンクＲＲＣメッセージは、当該端末デバイスの属性情報を示すために用いられる。
【００９０】
任意選択で、当該第２端末がサポートする無線周波数帯域幅は、１．４ＭＨＺ以下である。
【００９１】
なお、端末５００は、上記の方法実施例における第１端末に対応し、当該第１端末に対応する操作を実行することができ、簡略化のために、ここで説明を省略する。
【００９２】
図６は本願の実施例におけるネットワークデバイス６００のブロック図である。図６に示すように、当該ネットワークデバイス６００は、第１端末からの第１メッセージを受信するように構成される受信ユニット６１０と、当該第１メッセージに基づいて当該第２端末の属性情報を取得するように構成される取得ユニット６２０と、当該第１端末に第２メッセージを送信するように構成される送信ユニット６３０とを含み、当該第１メッセージは、第２端末の属性情報の取得を要求するために用いられ、当該第１端末が当該第２端末の当該属性情報に基づいて当該第２端末とデバイスツーデバイスＤ２Ｄ通信を行うために、当該第２メッセージは、当該第２端末の属性情報を示すために用いられる。
【００９３】
任意選択で、当該第２端末の属性情報が第１能力情報であり、当該第１能力情報は、当該第２端末が当該第１端末と通信を行う能力情報である。
【００９４】
任意選択で、当該第１能力情報は、当該第２端末が当該第１端末とデータ伝送を行う時の最大受信帯域幅、最大送信帯域幅、送信可能な最大データブロックの大きさ、受信可能な最大データブロックの大きさ、送信アンテナ数及び受信アンテナ数のうちの少なくとも１つを含む。
【００９５】
任意選択で、当該第２端末の属性情報が第２能力情報であり、当該第２能力情報は、当該第２端末がネットワークデバイス６００と通信を行う能力情報である。
【００９６】
任意選択で、当該ネットワークデバイス６００が基地局であり、当該受信ユニット６１０は、具体的に、当該第１端末により送信されたアップリンク無線リソース制御（ＲＲＣ）メッセージを受信するように構成され、当該アップリンクＲＲＣメッセージは、第２端末の当該属性情報の取得を要求するために用いられ、当該取得ユニット６２０は、具体的に、ローカルに記憶されている当該第２端末の属性情報を取得し、又は、ＭＭＥに当該第２端末の属性情報を要求するように構成され、当該送信ユニット６３０は、具体的に、当該第１端末にダウンリンクＲＲＣメッセージを送信するように構成され、当該ダウンリンクＲＲＣメッセージは、当該第２端末の当該属性情報を示すために用いられる。
【００９７】
任意選択で、当該ネットワークデバイス６００がモバイル管理エンティティ（ＭＭＥ）であり、当該受信ユニット６１０は、具体的に、当該第１端末により送信されたアップリンクＮＡＳメッセージを受信するように構成され、当該アップリンクＮＡＳメッセージは、当該第２端末の当該属性情報の取得を要求するために用いられ、当該取得ユニット６２０は、具体的に、ローカルに記憶されている当該第２端末の属性情報を取得し、又は、ＮＡＳに当該第２端末の属性情報を要求するように構成され、当該送信ユニット６３０は、具体的に、当該第１端末にダウンリンク非アクセス層（ＮＡＳ）メッセージを送信するように構成され、当該ＮＳＡ応答メッセージは、当該第２端末の当該属性情報を示すために用いられる。
【００９８】
任意選択で、当該第２端末がサポートする無線周波数帯域幅は、１．４ＭＨＺ以下である。
【００９９】
なお、ネットワークデバイス６００は、上記の方法実施例におけるネットワークデバイスに対応し、当該ネットワークデバイスに対応する操作を実行することができ、簡略化のために、ここで説明を省略する。
【０１００】
図７は本願の実施例における端末７００のブロック図である。当該端末７００は、プロセッサ７１０及びメモリー７２０を含む。メモリー７２０にプログラム命令が記憶される。プロセッサ７１０は、メモリー７２０に記憶されるプログラム命令を呼び出して、方法実施例における第１端末に対応する操作を実行することができる。当該端末７００は、さらに、外部と通信するように構成される送受信機７３０と、プロセッサ７１０、メモリー７２０及び送受信機７３０を接続するバスシステム７４０とを含む。
【０１０１】
プロセッサ７１０は、メモリー７２０に記憶されている命令を呼び出して、送受信機７３０を利用してネットワークデバイスに第１メッセージを送信し、送受信機７３０を利用してネットワークデバイスにより送信された第２メッセージを受信し、当該第２端末の属性情報に基づいて送受信機７３０を使用して当該第２端末とデータ伝送を行うように構成され、当該第１メッセージは、第２端末の属性情報の取得を要求するために用いられ、当該第２メッセージは、当該第２端末の属性情報を示すために用いられる。
【０１０２】
任意選択で、当該第２端末の属性情報が第１能力情報であり、当該第１能力情報は、当該第２端末が当該端末７００と通信する能力情報であり、プロセッサ７１０は、メモリー７２０に記憶されている命令を呼び出して、当該第１能力情報に基づいて、送受信機７３０を利用して当該第２端末とデータ伝送を行うように構成される。
【０１０３】
任意選択で、当該第２端末の属性情報が第２能力情報であり、当該第２能力情報は、当該第２端末がネットワークデバイスと通信を行う能力情報であり、プロセッサ７１０は、メモリー７２０に記憶されている命令を呼び出して、当該第２能力情報に基づいて、第１能力情報を確定し、当該第１能力情報に基づいて、送受信機７３０を利用して当該第２端末とデータ伝送を行うように実行するように構成され、当該第１能力情報は、当該第２端末が当該端末７００と通信する能力情報である。
【０１０４】
任意選択で、当該第１能力情報は、当該第２端末が当該端末７００とデータ伝送を行う時の最大受信帯域幅、最大送信帯域幅、送信可能な最大データブロックの大きさ、受信可能な最大データブロックの大きさ、送信アンテナ数及び受信アンテナ数のうちの少なくとも１つを含む。
【０１０５】
任意選択で、プロセッサ７１０は、メモリー７２０に記憶されている命令を呼び出して、送受信機７３０を利用して基地局にアップリンク無線リソース制御（ＲＲＣ）メッセージを送信し、送受信機７３０を利用して当該基地局により送信されたダウンリンクＲＲＣメッセージを受信するように実行するように構成され、当該アップリンクＲＲＣメッセージは、当該第２端末の属性情報の取得を要求するために用いられ、当該ダウンリンクＲＲＣメッセージは、当該端末デバイスの属性情報を示すために用いられる。
【０１０６】
任意選択で、プロセッサ７１０は、メモリー７２０に記憶されている命令を呼び出して、送受信機７３０を利用してＭＭＥにアップリンク非アクセス層（ＮＡＳ）メッセージを送信し、送受信機７３０を利用して当該モバイル管理エンティティ（ＭＭＥ）により送信されたダウンリンクＲＲＣメッセージを受信するように構成され、当該アップリンクＮＡＳメッセージは、当該第２端末の属性情報の取得を要求するために用いられ、当該ダウンリンクＲＲＣメッセージは、当該端末デバイスの属性情報を示すために用いられる。
【０１０７】
任意選択で、当該第２端末がサポートする無線周波数帯域幅は、１．４ＭＨＺ以下である。
【０１０８】
なお、端末７００は、上記の方法実施例における第１端末に対応し、当該第１端末に対応する操作を実行することができ、簡略化のために、ここで説明を省略する。
【０１０９】
図８は本願の実施例におけるネットワークデバイス８００のブロック図である。当該端末８００は、プロセッサ８１０及びメモリー８２０を含む。メモリー８２０にプログラム命令が記憶される。プロセッサ８１０は、メモリー８２０に記憶されているプログラム命令を呼び出して、方法実施例におけるネットワークデバイスに対応する操作を実行するように構成される。当該ネットワークデバイス８００は、さらに、外部と通信するように構成される送受信機８３０と、プロセッサ８１０、メモリー８２０及び送受信機８３０を接続するバスシステム８４０とを含む。
【０１１０】
任意選択で、プロセッサ８１０は、メモリー８２０に記憶されている命令を呼び出して、送受信機８３０を利用して第１端末の第１メッセージを受信し、当該第２端末の属性情報を取得し、送受信機８３０を利用して当該第１端末に第２メッセージを送信するように構成され、当該第１メッセージは、第２端末の属性情報の取得を要求するように構成され、当該第１端末が当該第２端末の当該属性情報に基づいて当該第２端末にをデータを送信するために、当該第２メッセージは、当該第２端末の属性情報を示すために用いられる。
【０１１１】
任意選択で、当該第２端末の属性情報が第１能力情報であり、当該第１能力情報は、当該第２端末が当該第１端末と通信を行う能力情報である。
【０１１２】
任意選択で、当該第１能力情報は、当該第２端末が当該第１端末とデータ伝送を行う時の最大受信帯域幅、最大送信帯域幅、送信可能な最大データブロックの大きさ、受信可能な最大データブロックの大きさ、送信アンテナ数及び受信アンテナ数のうちの少なくとも１つを含む。
【０１１３】
任意選択で、当該第２端末の属性情報が第２能力情報であり、当該第２能力情報は、当該第２端末がネットワークデバイス８００と通信を行う能力情報である。
【０１１４】
任意選択で、当該ネットワークデバイス８００が基地局であり、プロセッサ８１０は、メモリー８２０に記憶されている命令を呼び出して、送受信機８３０を利用して第１端末により送信された第１メッセージを受信し、即ち、当該基地局は当該第１端末により送信されたアップリンク無線リソース制御（ＲＲＣ）メッセージを受信し、ローカルに記憶されている当該第２端末の属性情報を取得し、又は、ＭＭＥに当該第２端末の属性情報を要求し、送受信機８３０を利用して当該第１端末にダウンリンクＲＲＣメッセージを送信するように構成され、当該アップリンクＲＲＣメッセージは、第２端末の当該属性情報の取得を要求するために用いられ、当該ダウンリンクＲＲＣメッセージは、当該第２端末の当該属性情報を示すために用いられる。
【０１１５】
任意選択で、当該ネットワークデバイス８００がモバイル管理エンティティ（ＭＭＥ）であり、プロセッサ８１０は、メモリー８２０に記憶されている命令を呼び出して、送受信機８３０を利用して当該第１端末により送信されたアップリンク非アクセス層（ＮＡＳ）メッセージを受信し、送受信機８３０を利用して当該第１端末にダウンリンクＮＡＳメッセージを送信するように構成され、当該アップリンクＮＡＳメッセージは、当該第２端末の当該属性情報の取得を要求するために用いられ、当該ＮＳＡ応答メッセージは、当該第２端末の当該属性情報を示すために用いられる。
【０１１６】
任意選択で、当該第２端末がサポートする無線周波数帯域幅は、１．４ＭＨＺ以下である。
【０１１７】
なお、ネットワークデバイス８００は、上記の方法実施例におけるネットワークデバイスに対応し、当該ネットワークデバイスに対応する操作を実行することができ、簡略化のために、ここで説明を省略する。
【０１１８】
当業者であれば、本明細書に開示された実施例と組み合わせて説明された各例のユニット及びアルゴリズムステップは、電子ハードウェア、又はコンピュータソフトウェアと電子ハードウェアとの組み合わせで実現されてもよいと理解できる。ハードウェアとソフトウェアとの互換性を明確に説明するために、以上、機能に従って各実施例のステップ及び構成を説明する。これらの機能がハードウェア又はソフトウェアで実行されるかどうかは技術的解決策の特定アプリケーションと設計約束条件に依存する。専門技術者は各特定のアプリケーションに対して異なる方法を使用して説明された機能を実現することができるが、このような実現は本発明の範囲を超えていると考えられるべきではない。
【０１１９】
当業者は便利且つ簡潔で説明するために、上述したシステム、装置とユニットの具体的な動作プロセスについて上記方法の実施例における対応するプロセスを参照でき、ここでは説明を省略することを明確に理解することができる。
【０１２０】
本出願が提供するいくつかの実施例では、開示されたシステム、装置および方法は他の方式により実現されてもよいと理解すべきである。上述した装置の実施例は例示的なものだけであり、例えば、前記ユニットの区分はロジック機能的区分だけであり、実際に実施する時に他の区分方式もあり得て、例えば複数のユニットまたは部材は組み合わせられてもよいまたは別のシステムに統合されてもよく、又はいくつかの特徴は無視されてもよく、又は実行されなくてもよい。また、示されるまたは議論される相互結合又は直接的結合又は通信接続はいくつかのインターフェース、装置又はユニットを介する間接的結合又は通信接続であってもよく、電気的、機械的又は他の形態であってもよい。
【０１２１】
分離部材として説明された前記ユニットは物理的に分離するものであってもよくまたは物理的に分離するものでなくてもよく、ユニットとして表示された部材は物理的ユニットであってもよくまたは物理的ユニットでなくてもよく、すなわち一つの箇所に位置してもよく、又は複数のネットワークユニットに分布してもよい。実際のニーズに応じてその中の一部または全てのユニットを選択して本実施例の解決策の目的を達成することができる。
【０１２２】
また、本発明の各実施例における各機能ユニットは一つの処理ユニットに統合されてもよく、個々のユニットは単独で物理的に存在してもよく、二つまたは二つ以上のユニットは一つのユニットに統合されてもよい。
【０１２３】
前記ユニットはソフトウェア機能ユニットの形態で実現され且つ独立した製品として販売または使用される場合，一つのコンピュータ読み取り可能な記憶媒体に格納されてもよい。このような理解に基づき，本発明の技術的解決策は本質的にソフトウェア製品の形態で実現されてもよく、又は従来技術に貢献する部分又は該技術的解決策の部分がソフトウェア製品の形態で実現されてもよく、該コンピュータソフトウェア製品は一台のコンピュータ装置（パーソナルコンピュータ、サーバ、又はネットワーク装置などあってもよい）に本発明の各実施例に記載の方法の全部又は一部のステップを実行させるためのいくつかのコマンドを含む記憶媒体に記憶する。前記記憶媒体はＵディスク、モバイルハードディスク、読み出し専用メモリ（ＲＯＭ：Ｒｅａｄ−Ｏｎｌｙ  Ｍｅｍｏｒｙ）、ランダムアクセスメモリ（ＲＡＭ：Ｒａｎｄｏｍ  Ａｃｃｅｓｓ  Ｍｅｍｏｒｙ）、磁気ディスク又は光ディスク等のプログラムコードを記憶できる各種の媒体を含む。
【０１２４】
以上は、本発明の最適的な実施例に過ぎず、本発明を制限せず、本分野の当業者に対して、本発明が各種類の変更と変化がある。本発明の主旨精神と原則以内に、いかなる改修、同等入れ替わり、改良等が、本発明の保護範囲以内に含まれるべきである。
【図１】
2019512900.tif 000003
【図２】
2019512900.tif 000004
【図３】
2019512900.tif 000005
【図４】
2019512900.tif 000006
【図５】
2019512900.tif 000007
【図６】
2019512900.tif 000008
【図７】
2019512900.tif 000009
【図８】
2019512900.tif 000010
【手続補正書】
【提出日】平成30年10月3日(2018.10.3)
【手続補正１】
【補正対象書類名】特許請求の範囲
【補正対象項目名】全文
【補正方法】変更
【補正の内容】
【特許請求の範囲】
【請求項１】
デバイスツーデバイスＤ２Ｄ通信方法であって、
第１端末はネットワークデバイスに第１メッセージを送信することと、
前記第１端末は、ネットワークデバイスにより送信された第２メッセージを受信することと、
第２端末の属性情報に基づいて、前記第１端末は、前記第２端末とデータ伝送を行うこととを含み、
前記第１メッセージは、前記第２端末の属性情報の取得を要求するために用いられ、
前記第２メッセージは、前記第２端末の属性情報を示すために用いられる、前記デバイスツーデバイスＤ２Ｄ通信方法。
【請求項２】
前記第２端末の属性情報は第１能力情報であり、前記第１能力情報は、前記第２端末が前記第１端末と通信を行う能力情報であり、
前記第１端末が前記第２端末とデータ伝送を行うことは、
前記第１能力情報に基づいて、前記第１端末が前記第２端末とデータ伝送を行うことを含む、
請求項１に記載のデバイスツーデバイスＤ２Ｄ通信方法。
【請求項３】
前記第２端末の属性情報が第２能力情報であり、前記第２能力情報は、前記第２端末がネットワークデバイスと通信を行う能力情報であり、
前記第１端末が前記第２端末とデータ伝送を行うことは、
前記第１端末は、前記第２能力情報に基づいて第１能力情報を確定することと、
前記第１能力情報に基づいて、前記第１端末は、前記第２端末とデータ伝送を行うこととを含み、
前記第１能力情報は、前記第２端末が前記第１端末と通信を行う能力情報である、
請求項１に記載のデバイスツーデバイスＤ２Ｄ通信方法。
【請求項４】
前記第１能力情報は、前記第２端末が前記第１端末とデータ伝送を行う時の最大受信帯域幅、最大送信帯域幅、送信可能な最大データブロックの大きさ、受信可能な最大データブロックの大きさ、送信アンテナ数及び受信アンテナ数のうちの少なくとも１つを含む、  請求項２又は３に記載のデバイスツーデバイスＤ２Ｄ通信方法。
【請求項５】
前記第１端末はネットワークデバイスに第１メッセージを送信することは、前記第１端末は基地局にアップリンク無線リソース制御（ＲＲＣ）メッセージを送信することを含み、前記アップリンクＲＲＣメッセージは、前記第２端末の属性情報の取得を要求するために用いられ、
前記第１端末は、ネットワークデバイスにより送信された第２メッセージを受信することは、前記第１端末は、前記基地局により送信されたダウンリンクＲＲＣメッセージを受信することを含み、前記ダウンリンクＲＲＣメッセージは、前記端末デバイスの属性情報を示すために用いられる、
請求項１乃至４のいずれか１項に記載のデバイスツーデバイスＤ２Ｄ通信方法。
【請求項６】
前記第１端末はネットワークデバイスに第１メッセージを送信することは、前記第１端末は、ＭＭＥにアップリンク非アクセス層（ＮＡＳ）メッセージを送信することを含み、前記アップリンクＮＡＳメッセージは、前記第２端末の属性情報の取得を要求するために用いられ、
前記第１端末は、ネットワークデバイスにより送信された第２メッセージを受信することは、前記第１端末は、前記モバイル管理エンティティ（ＭＭＥ）により送信されたダウンリンクＲＲＣメッセージを受信することを含み、前記ダウンリンクＲＲＣメッセージは、前記端末デバイスの属性情報を示すために用いられる、
請求項１乃至４のいずれか１項に記載のデバイスツーデバイスＤ２Ｄ通信方法。
【請求項７】
前記第２端末がサポートする無線周波数帯域幅は、１．４ＭＨＺ以下である、
請求項１乃至６のいずれか１項に記載のデバイスツーデバイスＤ２Ｄ通信方法。
【請求項８】
デバイスツーデバイスＤ２Ｄ通信方法であって、
ネットワークデバイスは第１端末の第１メッセージを受信することと、
前記第１メッセージに基づいて、前記ネットワークデバイスは第２端末の属性情報を取得することと、
前記第１端末が前記第２端末の前記属性情報に基づいて、前記第２端末にデータを送信するために、前記ネットワークデバイスは前記第１端末に第２メッセージを送信することとを含み、
前記第１メッセージは、前記第２端末の属性情報の取得を要求するために用いられ、
前記第２メッセージは、前記第２端末の属性情報を示すために用いられる、前記デバイスツーデバイスＤ２Ｄ通信方法。
【請求項９】
端末であって、
メモリー及びプロセッサを含み、
前記メモリーにはコンピュータ実行可能命令が記憶され、
前記プロセッサは、前記コンピュータ実行可能命令を実行して、請求項１乃至７のいずれか１項に記載のデバイスツーデバイスＤ２Ｄ通信方法を実行するように構成される、前記端末。
【請求項１０】
コンピュータ記憶媒体であって、
命令が記憶され、
プロセッサは、前記命令を実行する場合、請求項１乃至７のいずれか１項に記載のデバイスツーデバイスＤ２Ｄ通信方法を実行するように構成される、前記コンピュータ記憶媒体。
【手続補正２】
【補正対象書類名】図面
【補正対象項目名】図５
【補正方法】変更
【補正の内容】
【図５】
2019512900.tif 000011
【国際調査報告】
2019512900.tif 000012
2019512900.tif 000013
2019512900.tif 000014
2019512900.tif 000015